(57)【要約】【課題】医用画像装置本体内で発声された被検体の声を、操作室内の操作者に確実に伝えることができる医用画像装置を提供する。【解決手段】医用画像装置において、本体設置室３内に設置されて被検体を収容する医用画像装置本体１と、本体設置室３と区分けされた操作室４内に設置されて医用画像装置本体１の操作が行われる操作部２と、医用画像装置本体１に設けられてこの医用画像装置本体１内の音を集音するマイク１０と、医用画像装置本体１に設けられて被検体の動作を検出するセンサ８と、操作室４内に設けられてマイク１０により集音された音が出力されるスピーカ１３と、センサ８の検出結果に基づいてスピーカ１３の出力音量を上昇させる出力音量上昇部と、を備える。【選択図】図１
2014068664.tif 000002
【特許請求の範囲】
【請求項１】
本体設置室内に設置され、被検体を収容する医用画像装置本体と、
前記本体設置室と区分けされた操作室内に設置され、前記医用画像装置本体を操作する操作部と、
前記医用画像装置本体に設けられ、この医用画像装置本体内の音を集音するマイクと、
前記医用画像装置本体に設けられ、前記被検体の動作を検出するセンサと、
前記操作室内に設けられ、前記マイクにより集音された音が出力されるスピーカと、
前記センサの検出結果に基づき、前記スピーカの出力音量を上昇させる出力音量上昇部と、
を備えることを特徴とする医用画像装置。
【請求項２】
本体設置室内に設置され、被検体を収容する医用画像装置本体と、
前記本体設置室と区分けされた操作室内に設置され、前記医用画像装置本体を操作する操作部と、
前記医用画像装置本体に設けられ、この医用画像装置本体内の音を集音するマイクと、
前記操作室内に設けられ、前記マイクにより集音された音が出力されるスピーカと、
前記マイクにより集音された音の周波数を解析して集音された音の中に被検体の声が含まれているか否かを判断する周波数解析部と、
前記周波数解析部での解析により集音された音の中に前記被検体の声が含まれている場合に、前記スピーカの出力音量を上昇させる出力音量上昇部と、
を備えることを特徴とする医用画像装置。
【請求項３】
警報音を発生する警報音発生部を有し、
前記出力音量上昇部により前記スピーカの出力音量を上昇させる場合、前記警報音発生部から警報音を発生させることを特徴とする請求項１又は２記載の医用画像装置。
【発明の詳細な説明】
【技術分野】
【０００１】
本発明の実施形態は、医用画像装置に関する。
【背景技術】
【０００２】
Ｘ線診断装置、Ｘ線ＣＴ装置、ＭＲＩ装置、放射線治療装置等のように、被検体を撮影するとともにその被検体に対して診断や治療を行う医用画像装置は、被検体を収容して診断や治療を行う部分である医用画像装置本体と、この医用画像装置本体を操作する操作部とから構成されている。医用画像装置本体は、放射線遮蔽体や磁気遮蔽体で囲まれた本体設置室（検査室又は治療室等）内に設置され、操作部は本体設置室に隣接して位置する操作室内に設置されている。
【０００３】
このように医用画像装置本体と操作部とを別々の室内に配置しているため、操作部を操作して被検体の撮影や被検体の診断、治療を行う操作者は、被検体の様子を適切に把握しにくい場合がある。
【０００４】
このため、被検体の声を集音するマイクを医用画像装置本体に設け、このマイクに接続されたスピーカを操作室に設けることが行われている（下記特許文献１参照）。そして、検査時や治療時に、被検体の具合が悪くなった場合や被検体が異常を感じた場合には、被検体にその旨を発声してもらい、被検体の声をマイクで集音し、集音した被検体の声を操作室内のスピーカから出力させ、被検体の声を操作室内の操作者が聞き取るようにしている。
【先行技術文献】
【特許文献】
【０００５】
【特許文献１】特開２０１０−２３３９６５号公報（段落番号０００２〜０００４）
【発明の概要】
【発明が解決しようとする課題】
【０００６】
しかしながら、医用画像装置本体に設けられているマイクは、被検体が発声した声を集音するだけでなく、医用画像装置本体から発生するノイズ音も集音し、集音されたノイズ音がスピーカから操作室内に出力される。そのため操作者は、スピーカの出力音量を下げ、操作室内に出力されるノイズ音を小さくしている場合がある。
【０００７】
また、医用画像装置のメンテナンス時にスピーカの出力音量を下げ、メンテナンス終了後にスピーカの出力音量を元に戻すことを忘れる場合がある。
【０００８】
また、操作室には、操作室内のスピーカの出力音量を調節する音量調節部に加えて、操作者の指示を被検体に伝えるために医用画像装置本体に設けられているスピーカの出力音量を調節する音量調節部が設けられている。そのため、医用画像装置本体に設けられているスピーカの出力音量を下げるべきところを、誤って、操作室内に設けられているスピーカの出力音量を下げる場合がある。
【０００９】
また、操作者は、操作室内のスピーカから離れた位置に移動している場合がある。
【００１０】
従って、操作室内のスピーカの出力音量が意図的に下げられている場合や、誤操作により下げられている場合や、操作者がスピーカら離れた位置に移動している場合には、医用画像装置本体内で発声された被検体の声が、操作室内の操作者に伝わらない場合がある。
【００１１】
本発明はこのような課題を解決するためになされたもので、その目的は、医用画像装置本体内で発声された被検体の声を、操作室内の操作者に確実に伝えることができる医用画像装置を提供することである。
【課題を解決するための手段】
【００１２】
実施形態の医用画像装置は、本体設置室内に設置され、被検体を収容する医用画像装置本体と、本体設置室と区分けされた操作室内に設置され、医用画像装置本体を操作する操作部と、医用画像装置本体に設けられ、この医用画像装置本体内の音を集音するマイクと、医用画像装置本体に設けられ、被検体の動作を検出するセンサと、操作室内に設けられ、マイクにより集音された音が出力されるスピーカと、センサの検出結果に基づき、スピーカの出力音量を上昇させる出力音量上昇部と、を備える。
【図面の簡単な説明】
【００１３】
【図１】第１の実施形態における、Ｘ線ＣＴ装置の概略構成を示す説明図である。
【図２】マイクとスピーカとの接続構成を示すブロック図である。
【図３】スピーカの出力音量の制御について説明するフローチャートである。
【図４】圧力センサが押圧された場合の警報音の発生、出力音量の変化を説明する説明図である。
【図５】第２の実施形態における、マイクとスピーカとの接続構成を示すブロック図である。
【図６】スピーカの出力音量の制御について説明するフローチャートである。
【発明を実施するための形態】
【００１４】
以下、本発明の実施形態を図面に基づいて説明する。
【００１５】
（第１の実施形態）
本発明の第１の実施形態を図１ないし図４に基づいて説明する。図１は、医用画像装置であるＸ線ＣＴ装置の概略構成を示す説明図である。このＸ線ＣＴ装置は、被検体が収容される医用画像装置本体１と、医用画像装置本体１を操作する操作部２とにより構成されている。
【００１６】
この医用画像装置本体１は、本体設置室である検査室３内に設置されている。また、操作部２は、検査室３と区分けされた操作室４内に設置されている。
【００１７】
医用画像装置本体１は、被検体が載置されるスライド可能な天板５を備えた寝台６と、天板５上に載置された被検体をＸ線撮影する架台７とを有している。
【００１８】
天板５の表面には、被検体に押圧されることにより被検体の押圧動作を検出するセンサである圧力センサ８が設けられている。圧力センサ８は、天板５の上面の全体に設けられていてもよく、又は、天板５に載置された被検体の手が届く範囲内の特定の部分にのみ設けられていてもよい。圧力センサ８は、押圧された場合に検出信号を出力し、この検出信号は操作部２に設けられている後述する出力音量制御部に入力される。
【００１９】
架台７には、天板５が架台７側にスライドした場合に天板５と被検体とが入り込む開口部９が形成されている。また、架台７には、架台７内及びその周囲の音を集音するマイク１０が設けられている。
【００２０】
操作部２は、医用画像装置本体１を操作するための入力を行う各種キーを備えた操作パネル１１と、Ｘ線撮影された画像や操作用画面が表示されるモニタ１２と、検査室３内のマイク１０により集音された音が出力されるスピーカ１３とを有している。この操作部２は、検査室３と区分けされた操作室４内に設置され、操作室４内に居る操作者により操作される。
【００２１】
操作室４内の操作部２と、検査室３内の寝台６、架台７、圧力センサ８、マイク１０とは、破線で示す信号ライン１４により接続されている。
【００２２】
図２は、マイク１０とスピーカ１３との接続構成を示すブロック図である。操作部２には、スピーカ１３から出力される音量（以下、「出力音量」という）を制御する出力音量制御部１５が設けられており、この出力音量制御部１５に、マイク１０と、圧力センサ８と、スピーカ１３と、スピーカ１３の出力音量を調節する音量調節部１６とが接続されている。
【００２３】
音量調節部１６は、操作パネル１１に設けられた各種キーの一つであり、手動で操作される一般の音量調節用のボリュームである。また、出力音量制御部１５内には、音量調節部１６とは異なり、圧力センサ８の検出結果に基づき、スピーカ１３の出力音量を予め設定されている出力音量に強制的に上昇させる出力音量上昇部１７が設けられている。出力音量上昇部１７により上昇される出力音量は、音量調節部１６により手動調節されている通常使用時のスピーカ１３の出力音量より大きな値に設定されている。
【００２４】
また、出力音量制御部１５内には、圧力センサ８の検出結果に基づき、スピーカ１３から警報音を一定時間発生させる警報音発生部１８が設けられている。警報音が発生される一定時間Ｔ１は、操作室４内に居る操作者に対して注意を促すのに足りる時間であればよく、例えば、２〜３秒でよい。
【００２５】
このような構成において、Ｘ線検査時には、被検体を載置した天板５が架台７側にスライドされることにより天板５と被検体とが架台７の開口部９に入り込み、開口部９に入り込んだ被検体がＸ線撮影される。Ｘ線撮影された画像は、操作室４内のモニタ１２に表示される。
【００２６】
また、このＸ線検査時には、架台７内及びその周囲の音がマイク１０により集音され、集音された音がスピーカ１３から操作室４内に出力される。従って、Ｘ線検査時に被検体から発声された被検体の声はマイク１０により集音され、スピーカ１３から操作室４内に出力される。この際の操作室４内のスピーカ１３の出力音量は、音量調節部１６により、検査室３内の被検体と、操作室４内の操作者が通常の音量で会話出来る音量に調整されている。
【００２７】
しかしながら、被検体の発生する声が小さい、あるいはスピーカ１３の音量が小さい等で、操作者にその声が届かず、被検体の意思を伝えることが出来ない場合がある。この場合、被検体が圧力センサ８を押圧することにより、操作者の注意を喚起することが出来る。
【００２８】
以下、図３及び図４を用いて、被検体により圧力センサ８が押圧されることによるスピーカ１３の音量調整について説明する。図３は、音量の自動調整を説明する為のフローチャート、図４は音量変化を説明する為の説明図である。
【００２９】
まず、被検体により圧力センサ８が押圧されたことにより出力された検出信号が、出力音量制御部１５に入力されたか否かが判断される（ステップＳ１）。
【００３０】
圧力センサ８から出力された検出信号が出力音量制御部１５に入力された場合には（ステップＳ１のＹＥＳ）、出力音量上昇部１７によりスピーカ１３の出力音量が予め設定されている出力音量Ｂに強制的に上昇される（ステップＳ２）。この予め設定されている出力音量Ｂは、図４に示すように、音量調節部１６により調節されている通常使用時のスピーカ１３の出力音量Ａより大きな値に設定されているため、スピーカ１３から出力される被検体の声が大きくなり、被検体の声が操作室４内の操作者に確実に伝えられるようになる。
【００３１】
また、圧力センサ８から出力された検出信号が出力音量制御部１５に入力された場合（ステップＳ１のＹＥＳ）には、警報音発生部１８によりスピーカ１３から警報音が、図４に示すように一定時間Ｔ１発生される（ステップＳ３）。スピーカ１３から警報音が発生されることにより、操作室４内に居る操作者は、被検体が操作者に何らかを伝えたい状況にあることを確認できる。
【００３２】
すなわち、圧力センサ８が押圧されることにより、警報音が一定時間Ｔ１鳴り、操作者の注意が喚起されることになる。この際、スピーカ１３の出力音量がＢに上昇している為、例えば声の小さな被検体との会話もスムースに進めることが出来ることになる。一定時間Ｔ１を経過すると警報音は消えるが、スピーカ１３の出力音量は上昇したままに維持される。
【００３３】
次に、スピーカ１３の出力音量を通常の出力音量に下げる場合について説明する。被検体の意思が確認でき、必要な対応が終了した後は、架台７のノイズ音を過剰に拾わないように通常のスピーカ１３の音量に戻すことが最適である。
【００３４】
この音量を下げるには、手動により音量調節部１６を調整することにより行われる。この操作は、通常の出力音量Ａまで下げる場合の他、被検体の声が小さい場合には、図４に示すように通常の出力音量Ａより大きい出力音量Ｃとすることが好ましい。
【００３５】
このように被検体との意思疎通が行われた後には、音量調節部１６を手動操作し所望の音量に調整する。この音量調節部１６が操作された場合には（ステップＳ４のＹＥＳ）、スピーカ１３の出力音量は、自動的に設定された出力音量Ｂから、音量調節部１６により調節された出力音量Ｃに変更される（ステップＳ５）。
【００３６】
また、音量調節部１６が操作されるまでは（ステップＳ４のＮＯ）、スピーカ１３の出力音量は、出力音量Ｂに上昇したままである。
【００３７】
なお、ステップＳ１において圧力センサ８からの検出信号の入力が無いと判断された場合には（ステップＳ１のＮＯ）、スピーカ１３の出力音量がその時点で音量調節部１６により調節されている出力音量Ａに維持される。
【００３８】
以上のように、圧力センサ８が被検体により押圧された場合には、スピーカ１３の出力音量が予め設定されている出力音量に自動的に上昇する。これにより、圧力センサ８が押圧された後は、操作者が意図的にスピーカ１３の出力音量を下げている場合や、誤操作によりスピーカ１３の出力音量が下がっている場合や、操作者がスピーカ１３から離れた位置に移動している場合であっても、スピーカ１３から出力される被検体の声が大きくなるので、被検体が発声した声を操作室４内に居る操作者に確実に伝えることができるようになる。
【００３９】
従って、Ｘ線検査時に被検体の具合が悪くなった場合や被検体が異常を感じた場合には、被検体が圧力センサ８を押圧してからその旨を発声すれば、具合が悪くなったことや異常を感じたことを操作者に確実に伝えることができる。しかも、圧力センサ８が押圧された場合、スピーカ１３から警報音が一定時間発生されるので、その警報音を聞いた操作者はスピーカ１３から出力される被検体の声を聞き取る用意をすることができ、被検体の声が聞き取りにくい場合であっても、聞き逃すことを防止することができる。これにより、Ｘ線検査時における被検体の安全性を高めることができる。
【００４０】
なお、本実施形態では、圧力センサ８を天板５の表面に設けた場合を例に挙げて説明したが、この圧力センサ８を他の場所に設けてもよい。例えば、寝台６の表面や、架台７の開口部９の周囲の外周面であって、Ｘ線検査を受けている被検体の手が届く範囲に設けてもよい。
【００４１】
また、本実施形態では、被検体の動作を検出するセンサとして、被検体の押圧動作を検出する圧力センサ８を設けた場合を例に挙げて説明したが、振動センサを寝台６に設けても良い。この振動センサにより被検体の動きを感知し、この出力信号を出力音量制御部１５に接続してもよい。この振動センサは、被検体が体を動かした場合の動作を寝台６の振動として検出することができる。従って、Ｘ線検査時に被検体の具合が悪くなった場合や被検体が異常を感じた場合には、被検体は体を動かしてその動きを振動センサに検出させることにより、操作室４のスピーカ１３から出力される声を大きくすることができる。
【００４２】
また、本実施形態では、医用画像装置としてＸ線ＣＴ装置を例に挙げて説明したが、本実施形態を適用できる医用画像装置としては、例えば、ＭＲＩ装置、放射線治療装置等を挙げることができる。
【００４３】
（第２の実施形態）
本発明の第２の実施形態を、図５及び図６に基づいて説明する。なお、第１の実施形態で説明した構成要素と同じ構成要素には同じ符号を付け、重複する説明は省略する。
【００４４】
第２の実施形態の基本的構成は第１の実施形態と同じであり、第２の実施形態が第１の実施形態と異なる点は、マイク１０により集音された音に対して周波数解析を行い、マイク１０で集音された音の中に被検体の声が含まれている場合に、スピーカ１３の出力音量を設定してある出力音量に強制的に上昇させるようにした点である。
【００４５】
図５は、マイク１０とスピーカ１３との接続構成を示すブロック図である。操作部２には、スピーカ１３の出力音量を制御する出力音量制御部１５Ａが設けられており、この出力音量制御部１５Ａに、マイク１０と、スピーカ１３と、スピーカ１３の出力音量を調節する音量調節部１６とが接続されている。出力音量制御部１５Ａ内には、マイク１０により集音された音の周波数を解析し、集音された音の中に被検体の声が含まれているか否かを判断する周波数解析部１９と、集音された音の中に被検体の声が含まれている場合に、スピーカ１３の出力音量を予め設定されている出力音量に強制的に上昇させる出力音量上昇部１７と、スピーカ１３から警報音を一定時間発生させる警報音発生部１８とが設けられている。
【００４６】
周波数解析部１９は、検査室３内で発生する音及び架台７から発生する音を予めノイズ成分として除去し、被検体の発する声を検知するように構成されている。
【００４７】
このような構成において、Ｘ線検査時には、第１の実施形態と同様に、架台７内及びその周囲の音がマイク１０により集音され、集音された音がスピーカ１３から操作室４内に出力される。従って、Ｘ線検査時に被検体が発声した場合、被検体の声はマイク１０により集音され、スピーカ１３から操作室４内に出力される。
【００４８】
図６は、Ｘ線検査時におけるスピーカ１３の出力音量の制御について説明するフローチャートである。
【００４９】
まず、マイク１０により集音された音の周波数が周波数解析部１９により解析される（ステップＳ１１）。そして、周波数解析された音の中に、被検体の声が含まれているか否かが判断される（ステップＳ１２）。
【００５０】
周波数解析された音の中に、被検体の声が含まれている場合には（ステップＳ１２のＹＥＳ）、出力音量上昇部１７によりスピーカ１３の出力音量が予め設定されている出力音量Ｂ(図４参照)に強制的に上昇される（ステップＳ１３）。この予め設定されている出力音量は、音量調節部１６により調節されている通常使用時のスピーカ１３の出力音量より大きな値に設定されているため、スピーカ１３の出力音量が予め設定されている出力音量に上昇することにより、スピーカ１３から出力される被検体の声が大きくなり、被検体の声が操作室４内の操作者に確実に伝えられるようになる。
【００５１】
また、周波数解析された音の中に、被検体の声が含まれている場合には（ステップＳ１２のＹＥＳ）、警報音発生部１８によりスピーカ１３から警報音が一定時間発生される（ステップＳ１４）。スピーカ１３から警報音が発生されることにより、操作室４内に居る操作者に対して、マイク１０により集音された音の中に被検体の声が含まれていることが報知される。
【００５２】
スピーカ１３の出力音量が予め設定されている出力音量に上昇した後に、音量調節部１６が操作されたか否かが判断される（ステップＳ１５）。音量調節部１６が操作された場合には（ステップＳ１５のＹＥＳ）、スピーカ１３の出力音量が、音量調節部１６により調節された出力音量Ｃ(図４参照)に変更される（ステップＳ１６）。
【００５３】
なお、ステップＳ１２おいて、集音された音の中に被検体の声が含まれていないと判断された場合には（ステップＳ１２のＮＯ）、スピーカ１３の出力音量はその時点で音量調節部１６により調節されている出力音量に維持される。
【００５４】
ここで、Ｘ線検査時に被検体が発声した場合には、被検体の声が架台７のノイズ音と共にマイク１０により集音され、集音された音が周波数解析され、集音された音の中に被検体の声が含まれているか否かが判断される。そして、集音された音の中に被検体の声が含まれている場合には、スピーカ１３の出力音量が予め設定されている出力音量に強制的に上昇する。これにより、操作者が意図的にスピーカ１３の出力音量を下げている場合や、誤操作によりスピーカ１３の出力音量が下がっている場合や、操作者がスピーカ１３から離れた位置に移動している場合であっても、スピーカ１３から出力される被検体の声が大きくなるので、被検体の声を操作室４内に居る操作者に確実に伝えることができるようになる。
【００５５】
従って、Ｘ線検査時に被検体の具合が悪くなった場合や被検体が異常を感じた場合には、被検体がその旨を発生すれば、具合が悪いことや異常を感じたことを操作者に確実に伝えることができる。しかも、集音された音の中に被検体の声が含まれていると判断された場合、スピーカ１３から警報音が一定時間発生されるので、その警報音を聞いた操作者はスピーカ１３から出力される被検体の声を聞き取る用意をすることができ、被検体の声が聞き取りにくい場合であっても、聞き逃すことを防止することができる。これにより、Ｘ線検査時における被検体の安全性を高めることができる。
【００５６】
以上説明したように、本実施形態の医用画像装置によれば、医用画像装置による検査時や治療時に、被検体の具合が悪くなった場合や被検体が異常を感じた場合には、被検体が、被検体の動作を検出するセンサを作動させる、あるいは声を発することにより、操作室４内のスピーカ１３の出力音量を強制的に上昇させることができ、スピーカから出力される被検体の声が大きくなり、被検体の声を操作室４内に居る操作者に確実に伝えることができ、医用画像装置による検査時や治療時における被検体の安全性を高めることができる。
【００５７】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、様々の省略、置き換え、変更を行うことができる。この実施形態やその変更は、発明の範囲や要旨に含まれるとともに、特許請求の範囲に記載された発明とその均等の範囲に含まれる。
【符号の説明】
【００５８】
１    医用画像装置本体
２    操作部
３    検査室（本体設置室）
４    操作室
８    圧力センサ（センサ）
１０    マイク
１３    スピーカ
１７    出力音量上昇部
１８    警報音発生部
１９    周波数解析部
【図１】
2014068664.tif 000003
【図２】
2014068664.tif 000004
【図３】
2014068664.tif 000005
【図４】
2014068664.tif 000006
【図５】
2014068664.tif 000007
【図６】
2014068664.tif 000008